(57)【要約】【課題】煙色の発生の原因の一つとなるＮＯ２の生成を抑制して煙色の発生を抑制する。【解決手段】ＣＨ濃度検出手段１５の検出情報に基づいてＣＨ濃度が高くなった時に、第２開閉弁１２を開いてＮＨ３供給経路１６から（ＮＨ３供給手段から）ＮＨ３を排気経路７（煙道）に供給し、ＮＯがＮＯ２に酸化されにくい状態にしてＮＯ２の生成を抑制し、排気ガス中のＮＯ２の量を抑制して煙色の発生の原因を取り除く。【選択図】  図１
2018189059.tif 000002
【特許請求の範囲】
【請求項１】
燃料が供給されて燃焼ガスを得る燃焼器と、
前記燃焼器で得られた前記燃焼ガスを膨張させて発電動力を得る膨張タービンとを有する火力発電設備において、
前記燃焼器の後流側のガス中のＣＨ濃度を検出するＣＨ濃度検出手段と、
前記膨張タービンの排気ガスに関係するガス中にＮＨ３を供給するＮＨ３供給手段と、
前記ＣＨ濃度検出手段の検出情報に基づいて前記ＮＨ３供給手段からのＮＨ３の供給を制御し、排気ガス中のＮＯ２の量を抑制する制御手段とを備えた
ことを特徴とする火力発電設備。
【請求項２】
請求項１に記載の火力発電設備において、
前記ＮＨ３供給手段は、
前記膨張タービンの排気ガスの煙道にＮＨ３を供給する手段であり、
前記制御手段は、
前記煙道へのＮＨ３の供給を制御し、排気ガス中のＮＯのＮＯ２への酸化を抑制する
ことを特徴とする火力発電設備。
【請求項３】
請求項１に記載の火力発電設備において、
ＮＨ３が供給されることにより前記膨張タービンの排気ガス中の窒素酸化物（ＮＯＸ）を分解する排煙脱硝手段を有し、
前記ＮＨ３供給手段は、
前記排煙脱硝手段にＮＨ３を供給する手段であり、
前記制御手段は、
前記排煙脱硝手段へのＮＨ３の供給を制御し、ＮＯ２をＮＨ３で分解することで、ＮＯ２を減少させる
ことを特徴とする火力発電設備。
【請求項４】
請求項１に記載の火力発電設備において、
ＮＨ３が供給されることにより前記膨張タービンの排気ガス中の窒素酸化物（ＮＯＸ）を分解する排煙脱硝手段を有し、
前記ＮＨ３供給手段は、
前記膨張タービンの排気ガスの煙道、及び、前記排煙脱硝手段にＮＨ３を供給する手段であり、
前記制御手段は、
前記煙道へのＮＨ３の供給を制御し、排気ガス中のＮＯのＮＯ２への酸化を抑制すると共に、前記排煙脱硝手段へのＮＨ３の供給を制御し、ＮＯ２をＮＨ３で分解することで、ＮＯ２を減少させる
ことを特徴とする火力発電設備。
【請求項５】
請求項２から請求項４のいずれか一項に記載の火力発電設備において、
前記ＮＨ３供給手段は、
前記膨張タービンの入口の燃焼ガス、もしくは、前記膨張タービンの途中段の少なくとも一箇所にＮＨ３を追加して供給する手段である
ことを特徴とする火力発電設備。
【請求項６】
請求項１から請求項４のいずれか一項に記載の火力発電設備において、
前記膨張タービンの排気ガスを放出する煙突と、
前記煙突の入口部位の排気ガスのＮＯ２濃度を検出するＮＯ２濃度検出手段とを有し、
前記制御手段は、
前記ＮＯ２濃度検出手段の検出情報に基づいて前記ＮＨ３供給手段からのＮＨ３の供給を制御する
ことを特徴とする火力発電設備。
【請求項７】
燃焼ガスを伴って駆動されて動力を発生させる動力発生手段と、
前記動力発生手段の排気ガス中のＣＨ濃度を検出するＣＨ濃度検出手段と、
前記動力発生手段の排気ガスに関係するガス中にＮＨ３を供給するＮＨ３供給手段と、
前記ＣＨ濃度検出手段の検出情報に基づいて前記ＮＨ３供給手段からのＮＨ３の供給を制御し、排気ガス中のＮＯ２の量を抑制する制御手段とを備えた
ことを特徴とする動力発生設備。
【請求項８】
燃料が供給されて燃焼ガスを得る燃焼手段と、
前記燃焼手段から排出されるガス中のＣＨ濃度を検出するＣＨ濃度検出手段と、
前記燃焼手段から排出されるガスに関係するガス中にＮＨ３を供給するＮＨ３供給手段と、
前記ＣＨ濃度検出手段の検出情報に基づいて前記ＮＨ３供給手段からのＮＨ３の供給を制御し、前記燃焼手段から排出されるガス中のＮＯ２の量を抑制する制御手段とを備えた
ことを特徴とする燃焼設備。
【発明の詳細な説明】
【技術分野】
【０００１】
本発明は、煙色の発生を抑制した火力発電設備、動力発生設備、及び、燃焼設備に関する。
【背景技術】
【０００２】
燃焼設備を備えた動力発生設備の一例として、燃料の燃焼によりガスタービンの動力を得る発電設備が知られている。例えば、天然ガスを燃料として燃焼ガスを得て、燃焼ガスをガスタービンで膨張させることで発電動力を得る火力発電設備が知られている（特許文献１参照）。
【０００３】
火力発電設備のガスタービンの排気ガスは、エネルギー回収（熱回収）された後、排煙処理されて煙突から放出される。煙突からは、無色、もしくは、水蒸気による白色の排煙が排出される。煙突から排出される排煙には、排出が許容される範囲の除去対象成分としての煤や窒素酸化物（ＮＯＸ）が含まれるため、環境基準を十分に満たした排煙であっても、排煙に色がつき（煙色が生じ）、視認により煙色の発生が確認される虞があった。
【０００４】
しかし、ガスタービンの動力で電力を得る現状の火力発電設備では、環境基準を十分に満たした排煙を排出する技術が確立されているので、排煙の色（煙色）については煙突の高さ等を調整して目立たないようにすることで対応しているのが実状であった。煙色についての問題は、ガスエンジンやボイラ等の排気ガスでも同様に生じているのが実情である。
【先行技術文献】
【特許文献】
【０００５】
【特許文献１】特開２００６−３４８７５５号公報
【発明の概要】
【発明が解決しようとする課題】
【０００６】
本発明は上記状況に鑑みてなされたもので、煙色の発生の原因の一つとなるＮＯ２の生成を抑制して煙色の発生を抑制することができる火力発電設備、動力発生設備、及び、燃焼設備を提供することを目的とする。
【課題を解決するための手段】
【０００７】
本発明は、燃焼ガスや排気ガス中にＣＨ（炭化水素）の成分が存在した場合、煙道中で排気ガス中のＮＯがＮＯ２に酸化され、煙色の発生の原因の一つとなるＮＯ２が生成される点に着目されて成されたものである。即ち、燃焼ガスや排ガス中にＣＨ成分の存在が確認された場合、ＮＨ３を供給することでＮＯがＮＯ２に酸化されにくくなるようにしてＮＯ２の生成を抑制し、煙色の発生の原因を取り除くようにしている。また、ＮＯ２をＮＨ３で分解することで、ＮＯ２を減らし、煙色の発生の原因を取り除くようにしている。
【０００８】
具体的には、燃料が供給されて燃焼ガスを得る燃焼手段を有する火力発電設備において、燃焼手段の後流側のガス中のＣＨ濃度を検出し、検出されたＣＨ濃度に基づいて後流側のガスに拘わるガス中のＮＯ２の量を抑制するためにＮＨ３を供給し、ＮＨ３を供給することでＮＯがＮＯ２に酸化されにくくなるようにしてＮＯ２の生成を抑制し、煙色の発生の原因を取り除くようにしている。また、ＮＯ２をＮＨ３で分解することで、ＮＯ２を減らし、煙色の発生の原因を取り除くようにしている。
【０００９】
また、本発明は、燃焼手段で得られた燃焼ガスで駆動されて動力を発生させる動力発生手段を備えた動力発生設備において、動力発生手段の排気ガス中のＣＨ濃度を検出し、検出されたＣＨ濃度に基づいて排気ガスに拘わるガス中のＮＯ２の量を抑制するためにＮＨ３を供給し、ＮＨ３を供給することでＮＯがＮＯ２に酸化されにくくなるようにしてＮＯ２の生成を抑制し、煙色の発生の原因を取り除くようにしている。また、ＮＯ２をＮＨ３で分解することで、ＮＯ２を減らし、煙色の発生の原因を取り除くようにしている。
【００１０】
また、本発明は、燃料が供給されて燃焼ガスを得る燃焼手段を備えた燃焼設備において、燃焼手段から排出されるガス中のＣＨ濃度を検出し、検出されたＣＨ濃度に基づいて燃焼手段から排出されるガス中のＮＯ２の量を抑制するためにＮＨ３を供給し、ＮＨ３を供給することでＮＯがＮＯ２に酸化されにくくなるようにしてＮＯ２の生成を抑制し、煙色の発生の原因を取り除くようにしている。また、ＮＯ２をＮＨ３で分解することで、ＮＯ２を減らし、煙色の発生の原因を取り除くようにしている。
【００１１】
上記目的を達成するための請求項１に係る本発明の火力発電設備は、燃料が供給されて燃焼ガスを得る燃焼器と、前記燃焼器で得られた前記燃焼ガスを膨張させて発電動力を得る膨張タービンとを有する火力発電設備において、前記燃焼器の後流側のガス中のＣＨ濃度を検出するＣＨ濃度検出手段と、前記膨張タービンの排気ガスに関係するガス中にＮＨ３を供給するＮＨ３供給手段と、前記ＣＨ濃度検出手段の検出情報に基づいて前記ＮＨ３供給手段からのＮＨ３の供給を制御し、排気ガス中のＮＯ２の量を抑制する制御手段とを備えたことを特徴とする。
【００１２】
請求項１に係る本発明では、ＣＨ濃度検出手段の検出情報に基づいてＣＨ濃度が高くなった時に、ＮＨ３供給手段からＮＨ３を供給することで、排気ガス中のＮＯ２の量が抑制される。つまり、ＮＯがＮＯ２に酸化されにくくなり、ＮＯ２の生成が抑制されて、煙色の発生の原因が取り除かれる。また、ＮＯ２がＮＨ３で分解されることで、ＮＯ２が減らされ、煙色の発生の原因が取り除かれる。
【００１３】
そして、請求項２に係る本発明の火力発電設備は、請求項１に記載の火力発電設備において、前記ＮＨ３供給手段は、前記膨張タービンの排気ガスの煙道にＮＨ３を供給する手段であり、前記制御手段は、前記煙道へのＮＨ３の供給を制御し、排気ガス中のＮＯのＮＯ２への酸化を抑制することを特徴とする。
【００１４】
請求項２に係る本発明では、ＣＨ濃度に基づいて、煙道へのＮＨ３の供給が制御され、排気ガス中のＮＯのＮＯ２への酸化が抑制されて煙色の発生の原因が取り除かれる。
【００１５】
また、請求項３に係る本発明の火力発電設備は、請求項１に記載の火力発電設備において、ＮＨ３が供給されることにより前記膨張タービンの排気ガス中の窒素酸化物（ＮＯＸ）を分解する排煙脱硝手段を有し、前記ＮＨ３供給手段は、前記排煙脱硝手段にＮＨ３を供給する手段であり、前記制御手段は、前記排煙脱硝手段へのＮＨ３の供給を制御し、ＮＯ２をＮＨ３で分解することで、ＮＯ２を減少させることを特徴とする。
【００１６】
請求項３に係る本発明では、ＣＨ濃度に基づいて、排煙脱硝手段へのＮＨ３の供給が制御され、排煙脱硝手段でＮＨ３によるＮＯ２の分解が促進されることで、ＮＯ２が減少して煙色の発生の原因が取り除かれる。
【００１７】
また、請求項４に係る本発明の火力発電設備は、請求項１に記載の火力発電設備において、ＮＨ３が供給されることにより前記膨張タービンの排気ガス中の窒素酸化物（ＮＯＸ）を分解する排煙脱硝手段を有し、前記ＮＨ３供給手段は、前記膨張タービンの排気ガスの煙道、及び、前記排煙脱硝手段にＮＨ３を供給する手段であり、前記制御手段は、前記煙道へのＮＨ３の供給を制御し、排気ガス中のＮＯのＮＯ２への酸化を抑制すると共に、前記排煙脱硝手段へのＮＨ３の供給を制御し、ＮＯ２をＮＨ３で分解することで、ＮＯ２を減少させることを特徴とする。
【００１８】
請求項４に係る本発明では、ＣＨ濃度に基づいて、煙道へのＮＨ３の供給、及び、排煙脱硝手段へのＮＨ３の供給が制御され、排気ガス中のＮＯのＮＯ２への酸化が抑制されると共に、排煙脱硝手段でＮＨ３によるＮＯ２の分解が促進され、ＮＯ２が減少して煙色の発生の原因が取り除かれる。
【００１９】
また、請求項５に係る本発明の火力発電設備は、請求項２から請求項４のいずれか一項に記載の火力発電設備において、前記ＮＨ３供給手段は、前記膨張タービンの入口の燃焼ガス、もしくは、前記膨張タービンの途中段の少なくとも一箇所にＮＨ３を追加して供給する手段であることを特徴とする。
【００２０】
請求項５に係る本発明では、膨張タービンの排気ガスに関係するガスとして、膨張タービンの入口側、もしくは、膨張タービンの途中段のガスにＮＨ３を追加して供給することができる。
【００２１】
また、請求項６に係る本発明の火力発電設備は、請求項１から請求項４のいずれか一項に記載の火力発電設備において、前記膨張タービンの排気ガスを放出する煙突と、前記煙突の入口部位の排気ガスのＮＯ２濃度を検出するＮＯ２濃度検出手段とを有し、前記制御手段は、前記ＮＯ２濃度検出手段の検出情報に基づいて前記ＮＨ３供給手段からのＮＨ３の供給を制御することを特徴とする。
【００２２】
請求項６に係る本発明では、ＮＯ２濃度検出手段の検出情報に基づいてＮＨ３供給手段からのＮＨ３の供給を制御することで、ＮＯ２の発生を測定しながらＮＯ２の生成を抑制することができる（フィードバック制御を行うことができる）。
【００２３】
上記目的を達成するための請求項７に係る本発明の動力発生設備は、燃焼ガスを伴って駆動されて動力を発生させる動力発生手段と、前記動力発生手段の排気ガス中のＣＨ濃度を検出するＣＨ濃度検出手段と、前記動力発生手段の排気ガスに関係するガス中にＮＨ３を供給するＮＨ３供給手段と、前記ＣＨ濃度検出手段の検出情報に基づいて前記ＮＨ３供給手段からのＮＨ３の供給を制御し、排気ガス中のＮＯ２の量を抑制する制御手段とを備えたことを特徴とする。
【００２４】
請求項７に係る本発明では、ＣＨ濃度検出手段の検出情報に基づいてＣＨ濃度が高くなった時に、ＮＨ３供給手段からＮＨ３を供給することで、動力発生手段の排気ガス中のＮＯ２の量が抑制される。つまり、ＮＯがＮＯ２に酸化されにくくなり、ＮＯ２の生成が抑制されて、煙色の発生の原因が取り除かれる。また、ＮＯ２がＮＨ３で分解されることで、ＮＯ２が減らされ、煙色の発生の原因が取り除かれる。
【００２５】
上記目的を達成するための請求項８に係る本発明の燃焼設備は、燃料が供給されて燃焼ガスを得る燃焼手段と、前記燃焼手段から排出されるガス中のＣＨ濃度を検出するＣＨ濃度検出手段と、前記燃焼手段から排出されるガスに関係するガス中にＮＨ３を供給するＮＨ３供給手段と、前記ＣＨ濃度検出手段の検出情報に基づいて前記ＮＨ３供給手段からのＮＨ３の供給を制御し、前記燃焼手段から排出されるガス中のＮＯ２の量を抑制する制御手段とを備えたことを特徴とする。
【００２６】
請求項８に係る本発明では、ＣＨ濃度検出手段の検出情報に基づいてＣＨ濃度が高くなった時に、ＮＨ３供給手段からＮＨ３を供給することで、燃焼手段から排出されるガス中のＮＯ２の量が抑制される。つまり、ＮＯがＮＯ２に酸化されにくくなり、ＮＯ２の生成が抑制されて、煙色の発生の原因が取り除かれる。また、ＮＯ２がＮＨ３で分解されることで、ＮＯ２が減らされ、煙色の発生の原因が取り除かれる。
【発明の効果】
【００２７】
本発明の火力発電設備は、膨張タービンの動力で電力を得る火力発電設備において、煙色の発生の原因の一つとなるＮＯ２の生成を抑制して煙色の発生を抑制することが可能になる。つまり、運転条件が変化して燃焼ガスの成分が変わった場合でも、煙色の発生に関係するＮＯ２の増加を抑制して煙色の発生を抑制することが可能になる。
【００２８】
また、本発明の動力発生設備、及び、燃焼設備は、排出されるガスの煙色の発生の原因の一つとなるＮＯ２の生成を抑制して煙色の発生を抑制することが可能になる。つまり、運転条件が変化して排出されるガスの成分が変わった場合でも、煙色の発生に関係するＮＯ２の増加を抑制して煙色の発生を抑制することが可能になる。
【図面の簡単な説明】
【００２９】
【図１】本発明の第１実施例に係る火力発電設備の概略系統図である。
【図２】ＣＨ濃度とＮＯ２生成との関係を表すグラフである。
【図３】本発明の第２実施例に係る火力発電設備の概略系統図である。
【図４】本発明の第３実施例に係る火力発電設備の概略系統図である。
【発明を実施するための形態】
【００３０】
本発明の第１実施例は、燃焼ガスや排ガス中にＣＨ（炭化水素）の成分が存在した場合、煙道中で排気ガス中のＮＯがＮＯ２に酸化され、煙色の発生の原因の一つとなるＮＯ２が生成される点に着目されて成されたものである。即ち、燃焼ガス中にＣＨ成分の存在が確認された場合、ＮＨ３を排気ガスに供給することで、排気ガス中のＮＯがＮＯ２に酸化されにくくなるようにしてＮＯ２の生成を抑制し、煙色の発生の原因を取り除くようにしている。
【００３１】
（第１実施例）
図１には本発明の第１実施例に係る火力発電設備の概略を説明する系統状況、図２にはＣＨ濃度と、ＮＯがＮＯ２に酸化してＮＯ２が生成される量との関係を説明するグラフを示してある。
【００３２】
図１に示すように、火力発電設備１は、圧縮機２、燃焼器３、膨張タービン４を備えている。圧縮機２、及び、膨張タービン４には発電機５が同軸状に設けられている。燃焼器３には圧縮機２で圧縮された圧縮空気と燃料が供給される。圧縮機２からの圧縮空気、及び、燃料が燃焼器３で燃焼されて燃焼ガスが得られ、燃焼ガスは膨張タービン４で膨張されて動力が得られ、発電機５で発電が実施される。
【００３３】
膨張タービン４で仕事を終えた排気ガス（膨張タービン４の排気ガスに関係するガス）は、排気経路７を通って浄化処理された後、煙突３１から大気に放出される。排気経路７には、例えば、脱硝装置（排煙脱硝手段：ＳＣＲ）８が備えられ、ＳＣＲ８でＮＯＸ等が浄化処理される。
【００３４】
ＳＣＲ８にはＮＨ３導入経路９を介してＮＨ３タンク１０が接続され、ＮＨ３導入経路９には第１開閉弁１１が備えられている。制御手段２１の指令により第１開閉弁１１が開動作されることで、ＮＨ３タンク１０からＳＣＲ８にＮＨ３が導入され、排気ガス中のＮＯＸ（主にＮＯ）がＳＣＲ８でＮ２とＨ２Ｏに分解されて浄化される。
【００３５】
燃焼器３の出口側（膨張タービン４の入口側）にはＣＨ濃度検出手段１５が設けられ、ＣＨ濃度検出手段１５により燃焼ガスのＣＨ濃度が検出される。一方、ＮＨ３導入経路９の第１開閉弁１１の上流側から分岐して、ＮＨ３供給経路１６（ＮＨ３供給手段）が設けられている。ＮＨ３供給経路１６はＳＣＲ８の上流側の排気経路７に接続され、ＮＨ３供給経路１６から排気経路７にＮＨ３が供給される。
【００３６】
ＮＨ３供給経路１６には第２開閉弁１２が備えられ、更に、ＳＣＲ８の後流側の排気経路７には、排気ガスのＮＯ２濃度（煙突３１の入口部位の排気ガスのＮＯ２濃度）を検出するＮＯ２濃度検出手段１７が設けられている。
【００３７】
尚、ＣＨ濃度検出手段１５は、膨張タービン４の出口側に設けることも可能である。また、ＮＨ３供給経路１６から分岐して膨張タービン４の入口にＮＨ３を供給するための経路、もしくは（及び）、膨張タービン４の途中段にＮＨ３を供給するための経路を備えることも可能である。
【００３８】
ＣＨ濃度検出手段１５の検出情報、ＮＯ２濃度検出手段１７の検出情報は制御手段２１に入力され、制御手段２１は、燃焼ガスのＣＨ濃度、煙突３１の入口部位の排気ガスのＮＯ２濃度に基づいて、第２開閉弁１２の開動作を制御する。即ち、燃焼ガス中のＣＨ濃度が高くなった場合、第２開閉弁１２を開きＮＨ３供給経路１６から排気経路７にＮＨ３を供給する。また、煙突３１の入口部位の排気ガスのＮＯ２濃度を確認しながら、ＮＯ２濃度が低くなるように、第２開閉弁１２を開きＮＨ３供給経路１６から排気経路７にＮＨ３を供給する。
【００３９】
図２に示すように、燃焼ガスや排ガス中にＣＨの成分が存在した場合、即ち、燃焼ガスや排ガス中のＣＨ濃度が高くなった場合、ＮＯがＮＯ２に酸化されてＮＯ２の量が増加することが確認されている。ＮＯ２の量が増加すると、ＳＣＲ８は主に排気ガス中のＮＯを分解するように設計されているので、ＮＯ２はＳＣＲ８で分解されず煙突から放出されることになる。環境基準を十分に満たした排煙であっても、ＮＯ２が排煙に存在すると、排煙に色がつき（煙色が生じ）、視認により煙色の発生が確認される虞がある。
【００４０】
上記構成の火力発電設備１では、ＣＨ濃度検出手段１５により燃焼ガス中のＣＨ濃度が高くなったことが検出されると、制御手段２１により第２開閉弁１２が開き制御され、ＮＨ３供給経路１６から排気経路７にＮＨ３を供給される。排気経路７にＮＨ３が供給されることにより、排気ガス中のＮＯがＮＯ２に酸化されにくくなり、ＮＯ２の生成が抑制されて、煙色の発生の原因が取り除かれる。
【００４１】
そして、ＮＯ２濃度検出手段１７により煙突３１の入口部位の排気ガスのＮＯ２濃度が確認され、ＮＯ２濃度が減少している場合、制御手段２１により第２開閉弁１２が閉じ制御され、排気経路７へのＮＨ３の供給を減らす。ＮＯ２濃度が減少してない場合（増加している場合）、制御手段２１による第２開閉弁１２の開き制御が維持され、もしくは、更に開き側に制御され、排気ガス中のＮＯがＮＯ２に酸化されにくくなる状態を継続する。
【００４２】
上述した火力発電設備１では、ＣＨ濃度検出手段１５の検出情報に基づいてＣＨ濃度が高くなった時に、第２開閉弁１２を開いてＮＨ３供給経路１６から（ＮＨ３供給手段から）ＮＨ３を排気経路７（煙道）に供給することで、排気ガス中のＮＯ２の量が抑制される。つまり、ＮＯがＮＯ２に酸化されにくくなり、ＮＯ２の生成が抑制されて、煙色の発生の原因が取り除かれる。そして、ＮＯ２濃度検出手段１７により煙突３１の入口部位の排気ガスのＮＯ２濃度を検出することで、ＮＯ２の減少を確認しながらＮＨ３供給手段からのＮＨ３の供給を制御することができる。
【００４３】
従って、上述した火力発電設備１では、膨張タービン４の動力で電力を得る際に、煙色の発生の原因の一つとなるＮＯ２の生成を抑制して煙色の発生を抑制することが可能になる。つまり、運転条件が変化して燃焼ガスの成分が変わった場合でも、煙色の発生に関係するＮＯ２の増加を抑制して煙色の発生を抑制することが可能になる。
【００４４】
（第２実施例）
図３には本発明の第２実施例に係る火力発電設備の概略を説明する系統状況を示してある。図１に示した第１実施例と同じ構成部材には同一の符号を付して重複する説明は省略してある。
【００４５】
第２実施例では、図１に示した第１実施例のＮＨ３供給経路１６に代えて、第２ＮＨ３供給経路１９（ＮＨ３供給手段）が設けられている。即ち、ＮＨ３導入経路９の第１開閉弁１１の上流側から分岐して、第２ＮＨ３供給経路１９が設けられている。第２ＮＨ３供給経路１９はＳＣＲ８に接続され、第２ＮＨ３供給経路１９からＳＣＲ８にＮＨ３が追加して供給される。第２ＮＨ３供給経路１９には第３開閉弁１３が備えられている。
【００４６】
尚、説明の便宜上、ＮＨ３導入経路９（第１開閉弁１１）と、第２ＮＨ３供給経路１９（第３開閉弁１３）とを別構成で示してあるが、一つの経路に一つの開閉弁を設け、脱硝時のＮＨ３の導入と、追加のＮＨ３の供給とを一つの開閉弁の開閉制御により一つの経路で実施することも可能である。
【００４７】
上記構成の火力発電設備１では、ＣＨ濃度検出手段１５により燃焼ガス中のＣＨ濃度が高くなったことが検出されると、ＮＯがＮＯ２に酸化されてＮＯ２の量が増加していると推定される。このため、制御手段２１により第３開閉弁１３が開き制御され、第２ＮＨ３供給経路１９からＳＣＲ８にＮＨ３が追加して供給される。
【００４８】
これにより、排気ガス中のＮＯＸ（主にＮＯ）がＳＣＲ８でＮ２とＨ２Ｏに分解されて浄化されると同時に、ＳＣＲ８に追加されたＮＨ３により、増加したＮＯ２の分解が促進され、ＮＯ２が減少して煙色の発生の原因が取り除かれる。
【００４９】
（第３実施例）
図４には本発明の第３実施例に係る火力発電設備の概略を説明する系統状況を示してある。図１に示した第１実施例、図２に示した第２実施例と同じ構成部材には同一の符号を付して重複する説明は省略してある。
【００５０】
第３実施例では、図１に示した第１実施例のＮＨ３供給経路１６、及び、図２に示した第２実施例の第２ＮＨ３供給経路１９が設けられている。そして、ＮＨ３導入経路９の第１開閉弁１１の上流側から分岐して、第３ＮＨ３供給経路２０が設けられている。
【００５１】
第３ＮＨ３供給経路２０は膨張タービン４の途中段に接続され、第４開閉弁１４の開閉により、必要に応じて、第３ＮＨ３供給経路２０からＮＨ３が追加して膨張タービン４に供給される。尚、第３ＮＨ３供給経路２０を膨張タービン４の入口側に接続することも可能である。
【００５２】
上記構成の火力発電設備１では、ＣＨ濃度検出手段１５により燃焼ガス中のＣＨ濃度が高くなったことが検出されると、ＮＨ３供給経路１６からＮＨ３を排気経路７（煙道）に供給することで、排気ガス中のＮＯ２の量が抑制される。同時に、ＮＯがＮＯ２に酸化されてＮＯ２の量が増加していると推定されるため、第２ＮＨ３供給経路１９からＳＣＲ８にＮＨ３が追加して供給されＮＯ２の分解が促進される。
【００５３】
従って、ＣＨ濃度に基づいて、排気経路７（煙道）へのＮＨ３の供給、及び、ＳＣＲ８へのＮＨ３の供給が制御され、排気ガス中のＮＯのＮＯ２への酸化が抑制されると共に、ＳＣＲ８でＮＨ３によるＮＯ２の分解が促進され、ＮＯ２が減少して煙色の発生の原因が取り除かれる。
【００５４】
以上、実施例を挙げて説明したように、本発明の火力発電設備は、燃焼器３からの燃焼ガスを膨張タービン４で膨張して電力を得る際に、煙色の発生の原因の一つとなるＮＯ２の生成を抑制して煙色の発生を抑制することが可能になる。つまり、運転条件が変化して燃焼ガスの成分が変わった場合でも、煙色の発生に関係するＮＯ２の増加を抑制して煙色の発生を抑制することが可能になる。
【００５５】
上述した実施例は、火力発電設備を例に挙げて本願発明を説明したが、煙色の発生の原因の一つとなるＮＯ２の生成を抑制して煙色の発生を抑制する機器を備えた設備として、燃焼ガスを伴って動力を発生させるレシプロエンジン、ガスエンジン等の動力発生手段を備えた動力発生設備や、ボイラなどの燃焼手段を備えた燃焼設備等に本願発明を適用することが可能である。
【産業上の利用可能性】
【００５６】
本発明は、膨張タービンの動力により電力を得る火力発電設備の産業分野で利用することができる。また、本発明は、動力発生設備、及び、燃焼設備の産業分野で利用することができる。
【符号の説明】
【００５７】
１  火力発電設備
２  圧縮機
３  燃焼器
４  膨張タービン
５  発電機
７  排気経路
８  脱硝装置（ＳＣＲ）
９  ＮＨ３導入経路
１０  ＮＨ３タンク
１１  第１開閉弁
１２  第２開閉弁
１３  第３開閉弁
１４  第４開閉弁
１５  ＣＨ濃度検出手段
１６  ＮＨ３供給経路
１７  ＮＯ２濃度検出手段
１９  第２ＮＨ３供給経路
２０  第３ＮＨ３供給経路
２１  制御手段
３１  煙突
【図１】
2018189059.tif 000003
【図２】
2018189059.tif 000004
【図３】
2018189059.tif 000005
【図４】
2018189059.tif 000006